【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
複数の印刷装置と通信可能な情報処理装置であって、
一の印刷装置において印刷を実行できない事態が発生したことを検知する検知手段と、
前記検知手段による検知に応じて、前記一の印刷装置に蓄積された複数の印刷ジョブの中から、最先に処理される先頭印刷ジョブを識別する識別手段と、
前記検知手段による検知に応じて、前記複数の印刷ジョブのうち、前記先頭印刷ジョブ以外の印刷ジョブを、他の印刷装置に転送する転送手段と、
前記検知手段による検知に応じて、前記複数の印刷ジョブのうち、前記先頭印刷ジョブ以外の印刷ジョブを、前記一の印刷装置内から削除する削除手段と、
を有することを特徴とする情報処理装置。
【請求項２】
前記一の印刷装置に転送された印刷ジョブのコピーを保存する保存手段を更に有し、
前記転送手段は、前記保存手段に保存された前記印刷ジョブのコピーを前記他の印刷装置に転送することを特徴とする請求項１に記載の情報処理装置。
【請求項３】
前記識別手段は最先に処理される印刷ジョブが削除中であった場合に、前記削除中の印刷ジョブの次に処理される印刷ジョブを前記先頭印刷ジョブとして識別することを特徴とする請求項１に記載の情報処理装置。
【請求項４】
前記一の印刷装置から印刷ジョブのリストを取得する取得手段を更に備え、
前記識別手段は、前記取得手段により取得されたリストに基づき前記先頭印刷ジョブを識別することを特徴とする請求項１に記載の情報処理装置。
【請求項５】
前記リストには各々の印刷ジョブの状態を示す情報が含まれており、前記識別手段は前記状態を示す情報によって、最先に処理される印刷ジョブが削除中であるか否かを判定し、最先に処理される印刷ジョブが削除中であった場合に、前記削除中の印刷ジョブの次に処理される印刷ジョブを前記先頭印刷ジョブとして識別することを特徴とする請求項４に記載の情報処置装置。
【請求項６】
前記情報処理装置が発行した印刷ジョブを管理する管理手段を更に有し、
前記識別手段は、発行した印刷ジョブが前記先頭印刷ジョブか否かを識別し、
前記識別手段により前記発行した印刷ジョブが前記先頭印刷ジョブと識別された場合に手動代行印刷表示を行なう表示制御手段を更に有することを特徴とする請求項４または５に記載の情報処理装置。
【請求項７】
前記一の印刷装置に発行した全ての印刷ジョブを他の印刷装置に代行させる第１代行モードと、前記一の印刷装置に発行した印刷ジョブのうち、前記先頭印刷ジョブ以外の印刷ジョブを他の印刷装置に代行させる第２代行モードと、のいずれかを選択する選択手段を更に有し、
前記第２代行モードが選択された場合に、前記識別手段を機能させることを特徴とする請求項１から６の何れかに記載の情報処理装置。
【請求項８】
複数の印刷装置と通信可能な情報処理システムであって、
一の印刷装置において印刷を実行できない事態が発生したことを検知する検知手段と、
前記検知手段による検知に応じて、前記一の印刷装置に蓄積された複数の印刷ジョブの中から、最先に処理される先頭印刷ジョブを識別する識別手段と、
前記検知手段による検知に応じて、前記複数の印刷ジョブのうち、前記先頭印刷ジョブ以外の印刷ジョブを、他の印刷装置に転送する転送手段と、
前記検知手段による検知に応じて、前記複数の印刷ジョブのうち、前記先頭印刷ジョブ以外の印刷ジョブを、前記一の印刷装置内から削除する削除手段と、
を有することを特徴とする情報処理システム。
【請求項９】
複数の印刷装置における印刷ジョブを管理する情報処理方法であって、
一の印刷装置において印刷を実行できない事態が発生したことを検知する検知工程と、
前記検知工程での検知に応じて、前記一の印刷装置に蓄積された複数の印刷ジョブの中から、最先に処理される先頭印刷ジョブを識別する識別工程と、
前記検知工程での検知に応じて、前記複数の印刷ジョブのうち、前記先頭印刷ジョブ以外の印刷ジョブを、他の印刷装置に転送する転送工程と、
前記検知工程での検知に応じて、前記複数の印刷ジョブのうち、前記先頭印刷ジョブ以外の印刷ジョブを、前記一の印刷装置内から削除する削除工程と、
を有することを特徴とする情報処理方法。
【請求項１０】
前記一の印刷装置に転送された印刷ジョブのコピーを保存する保存工程を更に有し、
前記転送工程では、前記保存工程に保存された前記印刷ジョブのコピーを前記他の印刷装置に転送することを特徴とする請求項９に記載の情報処理方法。
【請求項１１】
前記識別工程では、最先に処理される印刷ジョブが削除中であった場合に、前記削除中の印刷ジョブの次に処理される印刷ジョブを前記先頭印刷ジョブとして識別することを特徴とする請求項９に記載の情報処理方法。
【請求項１２】
前記一の印刷装置から印刷ジョブのリストを取得する取得工程を更に備え、
前記識別工程では、前記取得工程により取得されたリストに基づき前記先頭印刷ジョブを識別することを特徴とする請求項９に記載の情報処理方法。
【請求項１３】
前記リストには各々の印刷ジョブの状態を示す情報が含まれており、前記識別工程は前記状態を示す情報によって、最先に処理される印刷ジョブが削除中であるか否かを判定し、最先に処理される印刷ジョブが削除中であった場合に、前記削除中の印刷ジョブの次に処理される印刷ジョブを前記先頭印刷ジョブとして識別することを特徴とする請求項１２に記載の情報処置方法。
【請求項１４】
前記情報処理装置が発行した印刷ジョブを管理する管理工程を更に有し、
前記識別工程は、発行した印刷ジョブが前記先頭印刷ジョブか否かを識別し、
前記識別工程により前記発行した印刷ジョブが前記先頭印刷ジョブと識別された場合に手動代行印刷表示を行なう表示制御工程を更に有することを特徴とする請求項１２または１３に記載の情報処理方法。
【請求項１５】
前記一の印刷装置に発行した全ての印刷ジョブを他の印刷装置に代行させる第１代行モードと、前記一の印刷装置に発行した印刷ジョブのうち、前記先頭印刷ジョブ以外の印刷ジョブを他の印刷装置に代行させる第２代行モードと、のいずれかを選択する選択工程を更に有し、
前記第２代行モードが選択された場合に、前記識別工程を機能させることを特徴とする請求項９乃至１４の何れか１項に記載の情報処理方法。
【請求項１６】
複数の印刷装置における印刷ジョブを管理する情報処理プログラムであって、
コンピュータに、
請求項９乃至１５の何れか１項に記載の情報処理方法に含まれる各工程を実行させることを特徴とする情報処理プログラム。
【請求項１７】
請求項１６に記載の情報処理プログラムを格納したコンピュータ読み取り可能な記憶媒体。
【手続補正２】
【補正対象書類名】明細書
【補正対象項目名】００１１
【補正方法】変更
【補正の内容】
【００１１】
上記目的を達成するため、本発明に係る装置は、
複数の印刷装置と通信可能な情報処理装置であって、
一の印刷装置において印刷を実行できない事態が発生したことを検知する検知手段と、
前記検知手段による検知に応じて、前記一の印刷装置に蓄積された複数の印刷ジョブの中から、最先に処理される先頭印刷ジョブを識別する識別手段と、
前記検知手段による検知に応じて、前記複数の印刷ジョブのうち、前記先頭印刷ジョブ以外の印刷ジョブを、他の印刷装置に転送する転送手段と、
前記検知手段による検知に応じて、前記複数の印刷ジョブのうち、前記先頭印刷ジョブ以外の印刷ジョブを、前記一の印刷装置内から削除する削除手段と、
を有することを特徴とする。
【手続補正３】
【補正対象書類名】明細書
【補正対象項目名】００１２
【補正方法】変更
【補正の内容】
【００１２】
上記目的を達成するため、本発明に係るシステムは、
複数の印刷装置と通信可能な情報処理システムであって、
一の印刷装置において印刷を実行できない事態が発生したことを検知する検知手段と、
前記検知手段による検知に応じて、前記一の印刷装置に蓄積された複数の印刷ジョブの中から、最先に処理される先頭印刷ジョブを識別する識別手段と、
前記検知手段による検知に応じて、前記複数の印刷ジョブのうち、前記先頭印刷ジョブ以外の印刷ジョブを、他の印刷装置に転送する転送手段と、
前記検知手段による検知に応じて、前記複数の印刷ジョブのうち、前記先頭印刷ジョブ以外の印刷ジョブを、前記一の印刷装置内から削除する削除手段と、
を有することを特徴とする。
【手続補正４】
【補正対象書類名】明細書
【補正対象項目名】００１３
【補正方法】変更
【補正の内容】
【００１３】
上記目的を達成するため、本発明に係る方法は、
複数の印刷装置における印刷ジョブを管理する情報処理方法であって、
一の印刷装置において印刷を実行できない事態が発生したことを検知する検知工程と、
前記検知工程での検知に応じて、前記一の印刷装置に蓄積された複数の印刷ジョブの中から、最先に処理される先頭印刷ジョブを識別する識別工程と、
前記検知工程での検知に応じて、前記複数の印刷ジョブのうち、前記先頭印刷ジョブ以外の印刷ジョブを、他の印刷装置に転送する転送工程と、
前記検知工程での検知に応じて、前記複数の印刷ジョブのうち、前記先頭印刷ジョブ以外の印刷ジョブを、前記一の印刷装置内から削除する削除工程と、
を有することを特徴とする。
【手続補正５】
【補正対象書類名】明細書
【補正対象項目名】００１４
【補正方法】変更
【補正の内容】
【００１４】
上記目的を達成するため、本発明に係るプログラムは、
複数の印刷装置における印刷ジョブを管理する情報処理プログラムであって、
コンピュータに、上記情報処理方法に含まれる各工程を実行させることを特徴とする。
【手続補正６】
【補正対象書類名】明細書
【補正対象項目名】００１５
【補正方法】変更
【補正の内容】
【００１５】
上記目的を達成するため、本発明に係る記憶媒体は、上記情報処理プログラムを格納したことを特徴とする。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】